(57)【要約】      （修正有）【課題】搬送物が重量物である場合でも搬送物の搬送方向を逆としても円滑な搬送を行うことができ、サイドローラが破損したり寿命が短くなることがなく、全体を小さくしたチェーンコンベヤ装置を提供する。【解決手段】駆動スプロケット１０１および従動スプロケットに掛架され無端循環走行するローラチェーン１１０に列設され搬送物を担持する多数のサドル１１３を有するチェーンコンベヤ装置において、ローラチェーン１１０が側方に突出して設けられたサイドローラ１１２を有し、搬送経路の下方を走行するローラチェーン１１０の駆動スプロケット１０１近傍の上部に、メインローラ１１１を上方から支持する押えレール１０４を備えている。【選択図】図５
2010280474.tif 000002
【特許請求の範囲】
【請求項１】
搬送経路の前後に設けられ水平方向の回転軸を有する駆動スプロケットおよび従動スプロケットと、該駆動スプロケットおよび従動スプロケットに掛架され無端循環走行するローラチェーンと、該ローラチェーンに列設され搬送物を担持する多数のサドルを有するチェーンコンベヤ装置において、
前記ローラチェーンが、前記駆動スプロケットおよび従動スプロケットに係合するメインローラと、側方に突出して設けられたサイドローラを有し、
前記搬送経路の下方を走行するローラチェーンの下部に、前記サイドローラを下方から支持するガイドレールを備え、
前記搬送経路の下方を走行するローラチェーンの駆動スプロケット近傍の上部に、前記メインローラを上方から支持する押えレールを備えていることを特徴とするチェーンコンベヤ装置。
【請求項２】
前記搬送経路の上方を走行するローラチェーンの下部に、前記メインローラを下方から支持するメインレールを備えていることを特徴とする請求項１に記載のチェーンコンベヤ装置。
【請求項３】
前記ローラチェーンが、２列設けられ、
前記サドルが、該２列のローラチェーンに跨って設けられ、
前記サイドローラが、前記２列のローラチェーンの対向する側にそれぞれ設けられていることを特徴とする請求項１または請求項２に記載のチェーンコンベヤ装置。
【請求項４】
前記搬送経路の下方を走行するローラチェーンの従動スプロケット近傍の上部に、前記メインローラを上方から支持する押えレールを備えていることを特徴とする請求項１乃至請求項３のいずれかに記載のチェーンコンベヤ装置。
【発明の詳細な説明】
【技術分野】
【０００１】
本発明は、駆動スプロケットおよび従動スプロケットに掛架されて無端循環走行するローラチェーンに多数のサドルを設け、搬送物を該サドルの上方に担持して搬送するチェーンコンベヤ装置に関し、特に重量物を搬送方向を逆転可能に搬送するのに好適なチェーンコンベヤ装置に関するものである。
【背景技術】
【０００２】
従来、搬送経路の前後に設けられ水平方向の回転軸を有する駆動スプロケットおよび従動スプロケットと、該駆動スプロケットおよび従動スプロケットに掛架され無端循環走行するローラチェーンと、該ローラチェーンに列設され搬送物を担持する多数のサドルを有するチェーンコンベヤ装置が知られている。
【０００３】
公知のチェーンコンベヤ装置５００は、図７に示すように、搬送経路の前後に設けられ水平方向の回転軸を有する駆動スプロケット５０１および従動スプロケット５０２と、該駆動スプロケット５０１および従動スプロケット５０２に掛架され無端循環走行するローラチェーン５１０とを有し、搬送経路の上方を走行するローラチェーン５１０の上方に搬送物Ｔを担持して搬送するように構成されている。
【０００４】
この公知のチェーンコンベヤ装置５００は、通常は、搬送経路の上方を走行するローラチェーン５１０が駆動スプロケット５０１を反時計回りに駆動することで牽引され、搬送物Ｔを図示の左方向に搬送するものであり、搬送経路の下方を走行するいわゆる戻り側のローラチェーン５１０は、その弛み分が垂下することとなる。
【０００５】
該弛み分の垂下を防止し直線的に走行させるために、下方に設けられたガイドレールによって戻り側のローラチェーンを支持するように構成されたチェーンコンベヤ装置も公知である（例えば、特許文献１参照。）。
【特許文献１】実開昭６２−２０３１０８号公報（第１頁、図１、図２）
【発明の開示】
【発明が解決しようとする課題】
【０００６】
しかしながら、公知のチェーンコンベヤ装置５００は、駆動スプロケット５０１を逆転して搬送方向を逆とした場合、図８に示すように、搬送経路の下方を走行するローラチェーン５１０が張り側となり、弛み分が搬送経路の上方を走行するローラチェーン５１０側に回り込んで駆動スプロケット５０１付近において浮き上がったり垂下したりすることとなり、円滑な搬送を阻害するという問題があった。
【０００７】
該問題を解決するため、例えば図９、図１０に示すように、搬送経路の下方に設けられたガイドレール５０３によって戻り側のローラチェーン５１０に設けられたサイドローラ５１２を下方から支持するとともに、搬送経路の下方を走行するローラチェーン５１０の駆動スプロケット５０１近傍の上部に、サイドローラ５１２を上方から支持する押えレール５０４を備えて、駆動スプロケット５０１を逆転して搬送方向を逆とした場合でも、弛み分が搬送経路の上方を走行するローラチェーン５１０側に回り込んで浮き上がったり垂下したりしないようにすることが考えられる。
【０００８】
なお、搬送物Ｔはローラチェーン５１０に列設されたサドル５１３によって担持されるとともに、搬送経路の上方を走行するローラチェーン５１０のメインローラ５１１がメインレール５０５に下方から支持されることによって搬送物Ｔの重量が支えられるように構成されている。
【０００９】
しかしながら、サイドローラ５１２はガイドレール５０３に支持されて搬送経路の下方を走行するローラチェーン５１０自体の重量のみを支える構造であるため、駆動スプロケット５０１を逆転して搬送方向を逆とした場合に、特に搬送物Ｔが重量物である場合、駆動スプロケット５０１付近において搬送経路の下方を走行するローラチェーン５１０が上方に押し上げられる力は極めて大きく、サイドローラ５１２が破損したり寿命が短くなる虞があり、該問題を避けるためにはサイドローラ５１２を大きくする必要があり、チェーンコンベヤ装置５００全体が大きくなるという問題があった。
【００１０】
本発明は、前述したような従来技術の問題を解決するものであって、すなわち、本発明の目的は、搬送物が重量物である場合でも搬送物の搬送方向を逆としても円滑な搬送を行うことができ、サイドローラが破損したり寿命が短くなることがなく、全体を小さくしたチェーンコンベヤ装置を提供することである。
【課題を解決するための手段】
【００１１】
本請求項１に係る発明は、搬送経路の前後に設けられ水平方向の回転軸を有する駆動スプロケットおよび従動スプロケットと、該駆動スプロケットおよび従動スプロケットに掛架され無端循環走行するローラチェーンと、該ローラチェーンに列設され搬送物を担持する多数のサドルを有するチェーンコンベヤ装置において、前記ローラチェーンが、前記駆動スプロケットおよび従動スプロケットに係合するメインローラと、側方に突出して設けられたサイドローラを有し、前記搬送経路の下方を走行するローラチェーンの下部に、前記サイドローラを下方から支持するガイドレールを備え、前記搬送経路の下方を走行するローラチェーンの駆動スプロケット近傍の上部に、前記メインローラを上方から支持する押えレールを備えていることにより、前記課題を解決するものである。
【００１２】
本請求項２に係る発明は、請求項１に記載されたチェーンコンベヤ装置の構成に加えて、前記搬送経路の上方を走行するローラチェーンの下部に、前記メインローラを下方から支持するメインレールを備えていることにより、前記課題をさらに解決するものである。
【００１３】
本請求項３に係る発明は、請求項１または請求項２に記載されたチェーンコンベヤ装置の構成に加えて、前記ローラチェーンが、２列設けられ、前記サドルが、該２列のローラチェーンに跨って設けられ、前記サイドローラが、前記２列のローラチェーンの対向する側にそれぞれ設けられていることにより、前記課題をさらに解決するものである。
【００１４】
本請求項４に係る発明は、請求項１乃至請求項３のいずれかに記載されたチェーンコンベヤ装置の構成に加えて、前記搬送経路の下方を走行するローラチェーンの従動スプロケット近傍の上部に、前記メインローラを上方から支持する押えレールを備えていることにより、前記課題をさらに解決するものである。
【発明の効果】
【００１５】
本請求項１に係る発明のチェーンコンベヤ装置は、搬送経路の前後に設けられ水平方向の回転軸を有する駆動スプロケットおよび従動スプロケットと、該駆動スプロケットおよび従動スプロケットに掛架され無端循環走行するローラチェーンと、該ローラチェーンに列設され搬送物を担持する多数のサドルを有するチェーンコンベヤ装置において、ローラチェーンが駆動スプロケットおよび従動スプロケットに係合するメインローラと、側方に突出して設けられたサイドローラを有し、搬送経路の下方を走行するローラチェーンの下部にサイドローラを下方から支持するガイドレールを備え、搬送経路の下方を走行するローラチェーンの駆動スプロケット近傍の上部にメインローラを上方から支持する押えレールを備えていることにより、搬送方向を逆としたときに駆動スプロケット付近において搬送経路の下方を走行するローラチェーンが上方に押し上げられる力をメインローラで受けることができるため、搬送方向を逆としても弛み分が搬送経路の上方を走行するローラチェーン側に回り込んで駆動スプロケット付近において浮き上がったり垂下したりすることなく円滑な搬送を行うことができるとともに、サイドローラが破損したり寿命が短くなるのを防止するためにサイドローラを大きくする必要がなく、チェーンコンベヤ装置全体を小さくすることができる。
【００１６】
本請求項２に係る発明のチェーンコンベヤ装置は、請求項１に係るチェーンコンベヤ装置が奏する効果に加えて、搬送経路の上方を走行するローラチェーンの下部にメインローラを下方から支持するメインレールを備えていることにより、搬送物が重量物である場合でも円滑な搬送を行うことができる。
【００１７】
本請求項３に係る発明のチェーンコンベヤ装置は、請求項１または請求項２に係るチェーンコンベヤ装置が奏する効果に加えて、ローラチェーンが２列設けられ、サドルが該２列のローラチェーンに跨って設けられ、サイドローラが２列のローラチェーンの対向する側にそれぞれ設けられていることにより、より搬送物が重量物である場合でも円滑な搬送を行うことができるとともに、サイドローラが側方に突出することなく、チェーンコンベヤ装置全体をより小さくすることができる。
【００１８】
本請求項４に係る発明のチェーンコンベヤ装置は、請求項１乃至請求項３のいずれかに係るチェーンコンベヤ装置が奏する効果に加えて、搬送経路の下方を走行するローラチェーンの従動スプロケット近傍の上部にメインローラを上方から支持する押えレールを備えていることにより、従動スプロケット側においても搬送経路の下方を走行するローラチェーンが上方に押し上げられる力を押えることができるため、搬送物が重量物である場合でも弛み分が搬送経路の上方を走行するローラチェーン５１０側に回り込んで浮き上がったり垂下したりすることなくより円滑な搬送を行うことができる。
【図面の簡単な説明】
【００１９】
【図１】本発明の第１実施例であるチェーンコンベヤ装置の側面図。
【図２】本発明の第１実施例であるチェーンコンベヤ装置の平面図。
【図３】図１の駆動スプロケット付近の一部断面正面図。
【図４】図１の搬送経路の上方の一部断面正面図。
【図５】図１の駆動スプロケット付近の一部断面側面図。
【図６】図５のＡ−Ａ断面図。
【図７】従来のチェーンコンベヤ装置の説明図。
【図８】従来のチェーンコンベヤ装置の逆転時の説明図。
【図９】従来のチェーンコンベヤ装置の駆動スプロケット付近の一部断面正面図。
【図１０】図９のＢ−Ｂ断面図。
【発明を実施するための形態】
【００２０】
本発明のチェーンコンベヤ装置は、搬送経路の前後に設けられ水平方向の回転軸を有する駆動スプロケットおよび従動スプロケットと、該駆動スプロケットおよび従動スプロケットに掛架され無端循環走行するローラチェーンと、該ローラチェーンに列設され搬送物を担持する多数のサドルを有するチェーンコンベヤ装置において、ローラチェーンが駆動スプロケットおよび従動スプロケットに係合するメインローラと、側方に突出して設けられたサイドローラを有し、搬送経路の下方を走行するローラチェーンの下部にサイドローラを下方から支持するガイドレールを備え、搬送経路の下方を走行するローラチェーンの駆動スプロケット近傍の上部にメインローラを上方から支持する押えレールを備えており、搬送方向を逆としても弛み分が搬送経路の上方を走行するローラチェーン側に回り込んで駆動スプロケット付近において浮き上がったり垂下したりすることなく円滑な搬送を行うことができるとともに、サイドローラが破損したり寿命が短くなるのを防止するためにサイドローラを大きくする必要がなく、チェーンコンベヤ装置全体を小さくすることができるという効果を発揮するものであれば、その具体的な実施態様は如何なるものであっても何ら構わない。
【実施例】
【００２１】
本発明の一実施例であるチェーンコンベヤ装置１００は、図１、図２に示すように、搬送経路の前後に設けられ水平方向の回転軸を有する駆動スプロケット１０１および従動スプロケット１０２と、該駆動スプロケット１０１および従動スプロケット１０２に掛架され無端循環走行するローラチェーン１１０と、該ローラチェーン１１０に列設され搬送物Ｔを担持する多数のサドル１１３を有している。
【００２２】
駆動スプロケット１０１、従動スプロケット１０２およびローラチェーン１１０は、図３に示すように、平行に２列設けられており、サドル１１３は２列のローラチェーン１１０を跨ぐように設けられており、２列の駆動スプロケット１０１が側方に設けられたモータ１０６によって駆動される。
【００２３】
搬送経路の上方を走行する２列のローラチェーン１１０は、図４に示すように、下部に設けられた２列のメインレール１０５上をメインローラ１１１が転動することによって支持されており、サドル１１３に担持された搬送物Ｔの重量がメインレール１０５で受けるように構成されている。
【００２４】
また、２列のローラチェーン１１０の対向する側にはサイドローラ１１２が設けられており、図５に示すように、搬送経路の下方を走行するローラチェーン１１０の下部に設けられたガイドレール１０３に支持されて、戻り側のローラチェーン１１０を支持して弛み分の垂下を防止し直線的に走行させるように構成されている。
【００２５】
搬送経路の下方を走行するローラチェーン１１０の駆動スプロケット１０１近傍の上部には、図５、図６に示すように、メインローラ１１１を上方から支持する押えレール１０４が設けられており、駆動スプロケット１０１を逆転して搬送方向を逆とし、搬送経路の下方を走行するローラチェーン１１０が張り側となった場合の弛み分が上方に引き上げられることを防止している。
【００２６】
以上のように構成された本発明の一実施例であるチェーンコンベヤ装置１００によれば、搬送方向を逆としたときに駆動スプロケット１０１付近において搬送経路の下方を走行するローラチェーン１１０が上方に押し上げられる力をメインローラ１１１で受け、弛み分が上方に引き上げられて搬送経路の上方を走行するローラチェーン１１０側に回り込むことがなく、送方向を逆としても円滑な搬送を行うことができるとともに、サイドローラ１１２がローラチェーン１１０の自重以上の重量を支える必要がないため、サイドローラ１１２が破損したり寿命が短くなるのを防止するためにサイドローラ１１２を大きくする必要もない。
【００２７】
また、サイドローラ１１２が２列のローラチェーン１１０の対向する側にそれぞれ設けられていることにより、サイドローラ１１２やガイドレール１０３が側方に突出することなく、チェーンコンベヤ装置１００全体を小さくすることができる。
【００２８】
なお、搬送経路の下方を走行するローラチェーン１１０の従動スプロケット１０２近傍の上部にも、駆動スプロケット１０１近傍と同様にメインローラ１１１を上方から支持する押えレール１０４を設けることにより、搬送方向を逆としたときに従動スプロケット１０２付近においても搬送経路の下方を走行するローラチェーン１１０が上方に押し上げられる力をメインローラ１１１で受けることができ、搬送方向を逆としても弛み分が上方に引き上げられて搬送経路の上方を走行するローラチェーン１１０側に回り込んで駆動スプロケット１０１付近において浮き上がったり垂下したりすることをさらに低減して、円滑な搬送を行うことができる。
【００２９】
以上説明したように、本発明のチェーンコンベヤ装置によれば、搬送方向を逆としても円滑な搬送を行うことができるとともに、サイドローラが破損したり寿命が短くなることがなく、サイドローラを大きくする必要がなくチェーンコンベヤ装置全体を小さくすることができるなど、その効果は甚大である。
【符号の説明】
【００３０】
１００、５００  ・・・搬送規制機構
１０１、５０１  ・・・駆動スプロケット
１０２、５０２  ・・・従動スプロケット
１０３、５０３  ・・・ガイドレール
１０４、５０４  ・・・押えレール
１０５、５０５  ・・・メインレール
１０６、５０６  ・・・モータ
１１０、５１０  ・・・ローラチェーン
１１１          ・・・メインローラ
１１２、５１２  ・・・サイドローラ
１１３、５１３  ・・・サドル
Ｔ            ・・・搬送物
【図１】
2010280474.tif 000003
【図２】
2010280474.tif 000004
【図３】
2010280474.tif 000005
【図４】
2010280474.tif 000006
【図５】
2010280474.tif 000007
【図６】
2010280474.tif 000008
【図７】
2010280474.tif 000009
【図８】
2010280474.tif 000010
【図９】
2010280474.tif 000011
【図１０】
2010280474.tif 000012